【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
データ管理システムへのアプリケーションデータの登録指示を受け付ける受付手段と、
前記登録指示が示すアプリケーションデータが前記データ管理システムによって処理可能か否かを判定する判定手段と、
前記アプリケーションデータをPDLデータに変換する変換手段と、
前記判定手段の判定結果が処理可能を示す場合は前記登録指示が示すアプリケーションデータを前記データ管理システムに送信し、前記判定結果が処理不能を示す場合は前記登録指示が示すアプリケーションデータのPDLデータと前記アプリケーションデータを組み合わせたデータを前記データ管理システムに送信する送信手段とを有することを特徴とする情報処理装置。
【請求項２】
データ管理システムに登録する登録データを受信する受信手段と、
前記登録データがアプリケーションデータ形式の場合、前記アプリケーションデータ形式のデータをビットマップ形式の画像データに変換する変換手段と、
前記登録データがPDLデータを組み合わせたアプリケーションデータ形式の場合、前記PDLデータをレンダリングしてビットマップ形式の画像データを生成するレンダリング手段と、
前記変換手段によって変換されたビットマップ形式の画像データ、または、前記レンダリング手段によって生成されたビットマップ形式の画像データから前記登録データの検索情報を生成する生成手段と、
前記アプリケーションデータ形式の登録データ、または、前記PDLデータを組み合わせたアプリケーションデータ形式のデータと、前記検索情報を関連付けて、前記データ管理システムのメモリに登録する登録手段とを有することを特徴とする情報処理装置。
【請求項３】
アプリケーションデータを受信する受信手段と、
前記アプリケーションデータをビットマップデータに変換する変換手段と、
前記ビットマップデータから検索用データとして検索インデックスを生成するインデックス生成手段と、
前記検索インデックスと前記アプリケーションデータを対応付けてメモリに登録する登録手段とを有することを特徴とする情報処理装置。
【請求項４】
データ管理システムに登録されたデータの検索用のPDLデータを受信する受信手段と、
前記PDLデータをレンダリングしてビットマップ形式の画像データを生成するレンダリング手段と、
前記ビットマップ形式の画像データから検索情報を生成する生成手段と、
前記検索情報に基づき、前記データ管理システムに登録されたデータを検索する検索手段とを有することを特徴とする情報処理装置。
【請求項５】
データ管理システムへのアプリケーションデータの登録指示を受け付ける受付ステップと、
前記登録指示が示すアプリケーションデータが前記データ管理システムによって処理可能か否かを判定する判定ステップと、
前記アプリケーションデータをPDLデータに変換する変換ステップと、
前記判定ステップの判定結果が処理可能を示す場合は前記登録指示が示すアプリケーションデータを前記データ管理システムに送信し、前記判定結果が処理不能を示す場合は前記登録指示が示すアプリケーションデータのPDLデータと前記アプリケーションデータを組み合わせたデータを前記データ管理システムに送信する送信ステップとを有することを特徴とする情報処理方法。
【請求項６】
データ管理システムに登録する登録データを受信し、
前記登録データがアプリケーションデータ形式の場合は、前記アプリケーションデータ形式のデータをビットマップ形式の画像データに変換し、
前記登録データがPDLデータを組み合わせたアプリケーションデータ形式の場合は、前記PDLデータをレンダリングしてビットマップ形式の画像データを生成し、
前記変換によって得られたビットマップ形式の画像データ、または、前記レンダリングによって生成されたビットマップ形式の画像データから前記登録データの検索情報を生成し、
前記アプリケーションデータ形式の登録データ、または、前記PDLデータを組み合わせたアプリケーションデータ形式のデータと、前記検索情報を関連付けて、前記データ管理システムのメモリに登録することを特徴とする情報処理方法。
【請求項７】
アプリケーションデータを受信し、
前記アプリケーションデータをビットマップデータに変換し、
前記ビットマップデータから検索用データとして検索インデックスを生成し、
前記検索インデックスと前記アプリケーションデータを対応付けてメモリに登録することを特徴とする情報処理方法。
【請求項８】
データ管理システムに登録されたデータの検索用のPDLデータを受信し、
前記PDLデータをレンダリングしてビットマップ形式の画像データを生成し、
前記ビットマップ形式の画像データから検索情報を生成し、
前記検索情報に基づき、前記データ管理システムに登録されたデータを検索することを特徴とする情報処理方法。
【請求項９】
情報処理装置を制御して、請求項5から請求項8の何れか一項に記載された情報処理を実現することを特徴とするコンピュータプログラム。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
本発明にかかる情報処理は、データ管理システムへのアプリケーションデータの登録指示を受け付け、前記登録指示が示すアプリケーションデータが前記データ管理システムによって処理可能か否かを判定し、前記アプリケーションデータをPDLデータに変換し、前記判定の結果が処理可能を示す場合は前記登録指示が示すアプリケーションデータを前記データ管理システムに送信し、前記判定の結果が処理不能を示す場合は前記登録指示が示すアプリケーションデータのPDLデータと前記アプリケーションデータを組み合わせたデータを前記データ管理システムに送信することを特徴とする。
【手続補正７】
【補正対象書類名】明細書
【補正対象項目名】００１６
【補正方法】変更
【補正の内容】
【００１６】
また、データ管理システムに登録する登録データを受信し、前記登録データがアプリケーションデータ形式の場合は、前記アプリケーションデータ形式のデータをビットマップ形式の画像データに変換し、前記登録データがPDLデータを組み合わせたアプリケーションデータ形式の場合は、前記PDLデータをレンダリングしてビットマップ形式の画像データを生成し、前記変換によって得られたビットマップ形式の画像データ、または、前記レンダリングによって生成されたビットマップ形式の画像データから前記登録データの検索情報を生成し、前記アプリケーションデータ形式の登録データ、または、前記PDLデータを組み合わせたアプリケーションデータ形式のデータと、前記検索情報を関連付けて、前記データ管理システムのメモリに登録することを特徴とする。
【手続補正８】
【補正対象書類名】明細書
【補正対象項目名】００１７
【補正方法】変更
【補正の内容】
【００１７】
また、アプリケーションデータを受信し、前記アプリケーションデータをビットマップデータに変換し、前記ビットマップデータから検索用データとして検索インデックスを生成し、前記検索インデックスと前記アプリケーションデータを対応付けてメモリに登録することを特徴とする。
【手続補正９】
【補正対象書類名】明細書
【補正対象項目名】００１８
【補正方法】変更
【補正の内容】
【００１８】
また、データ管理システムに登録されたデータの検索用のPDLデータを受信し、前記PDLデータをレンダリングしてビットマップ形式の画像データを生成し、前記ビットマップ形式の画像データから検索情報を生成し、前記検索情報に基づき、前記データ管理システムに登録されたデータを検索することを特徴とする。